(57)【特許請求の範囲】
【請求項１】
通信データを記憶する通信情報記憶手段と、
省エネモード時には電源供給を低減し、省エネモード解除時には電源供給を増加する省エネ制御手段と、
電源オン時には、前記通信情報記憶手段に記憶されている前記通信情報の異常の有無を点検して、異常のある前記通信情報に対して通信情報リカバリー処理を行う一方、省エネモード解除時には、前記通信情報リカバリー処理を省略するように制御する制御手段とを備えた通信端末装置。
【請求項２】
相手先情報を記憶する相手先情報記憶手段と、
省エネモード時には電源供給を低減し、省エネモード解除時には電源供給を増加する省エネ制御手段と、
電源オン時には、前記相手先情報記憶手段に記憶されている前記相手先情報の異常の有無を点検して、異常のある前記相手先情報に対して相手先情報リカバリー処理を行う一方、省エネモード解除時には、前記相手先情報リカバリー処理を省略するように制御する制御手段とを備えた通信端末装置。
【請求項３】
ジョブ情報を記憶するジョブ情報記憶手段と、
省エネモード時には電源供給を低減し、省エネモード解除時には電源供給を増加する省エネ制御手段と、
電源オン時には、前記ジョブ情報記憶手段に記憶されている前記ジョブ情報の異常の有無を点検して、異常のある前記ジョブ情報に対してジョブリカバリー処理を行う一方、省エネモード解除時には、前記ジョブリカバリー処理を省略するように制御する制御手段とを備えた通信端末装置。
【請求項４】
省エネモード時には電源供給を低減し、省エネモード解除時には電源供給を増加し、電源オン時には、前記通信情報記憶手段に記憶されている前記通信情報の異常の有無を点検して、異常のある前記通信情報に対して通信情報リカバリー処理を行う一方、省エネモード解除時には、前記通信情報リカバリー処理を省略するように制御する通信端末制御方法。
【請求項５】
省エネモード時には電源供給を低減し、省エネモード解除時には電源供給を増加し、電源オン時には、前記相手先情報記憶手段に記憶されている前記相手先情報の異常の有無を点検して、異常のある前記相手先情報に対して相手先情報リカバリー処理を行う一方、省エネモード解除時には、前記相手先情報リカバリー処理を省略するように制御する通信端末制御方法。
【請求項６】
省エネモード時には電源供給を低減し、省エネモード解除時には電源供給を増加し、電源オン時には、前記ジョブ情報記憶手段に記憶されている前記ジョブ情報の異常の有無を点検して、異常のある前記ジョブ情報に対してジョブリカバリー処理を行う一方、省エネモード解除時には、前記ジョブリカバリー処理を省略するように制御する通信端末制御方法。
【発明の詳細な説明】
【０００１】
【発明の属する技術分野】
本発明は、通信端末装置及び通信端末制御方法に関し、詳細には、省エネモードからの立ち上がりを速やかに行う通信端末装置及び通信端末制御方法に関する。
【０００２】
【従来の技術】
近時、省エネルギー（以下、必要に応じて、省エネという。）化が要望されており、通信端末装置、例えば、ファクシミリ装置等においても、受信待機中等に、記録部の加熱部等のような高電力を消費する部分への電源を削減して、消費電力を削減するファクシミリ装置が出現している。
【０００３】
このような省エネを行う従来のファクシミリ装置においては、省エネモードに入ると、オペレータが操作部で省エネモード解除操作を行ったり、着信があると、各部に電源の供給を開始して、通常使用状態に復帰する。
【０００４】
そして、本出願人も、先に、ファクシミリエンジンでボタンデータが取り込めるようになってからプリンタコントローラを立ち上げることで、イニシャル時の特殊なモードを容易にサポートするプリンタ付ファクシミリ装置（特開平７−７５９８号公報参照）及びＣＰＵ等の電源５Ｖをオフにする省エネモードにおいて、着呼を検知すると、電源５Ｖをオンにしてシステムを立ち上げる際に、スキャナ系のイニシャルを遅らせ、その前に着呼での起動を確認することにより、着呼に対して十分な対応を可能にしたファクシミリ装置（特開平８−２６５４６５号公報参照）等を提案している。
【０００５】
すなわち、これらのファクシミリ装置は、いずれも省エネモードからの立ち上がりにおいて、通常の電源オン時と同様の処理を行うようになっている。
【０００６】
【発明が解決しようとする課題】
しかしながら、このような従来のファクシミリ装置等の通信端末装置にあっては、省エネモードからの立ち上がり時に、電源オン時と同様のリカバリー処理を行っているため、リカバリー処理に長時間を必要とし、省エネモードからの立ち上がりが遅く、通信端末装置の利用性を向上させる上で、改良の余地があった。
【０００７】
すなわち、省エネモードからの立ち上がり時、例えば、ＳＡＦメモリに記憶されている送信用画情報、当該送信用画情報の送信先電話番号等の送信先情報、また、当該送信用画情報を当該送信先へ送信するという送信ジョブ等の記憶内容に異常があるかチェックして、異常があると当該情報の復旧あるいは消去を行うリカバリー処理を行う。ところが、省エネモードからの立ち上がり時には、電源投入時とは異なり、上記ＳＡＦメモリの画情報、送信情報及びジョブ情報に異常が発生する確率が非常に低く、このような省エネモードからの立ち上がり時に、電源オン時と同様のリカバリー処理を行うと、省エネモードからの立ち上がりが遅くなるという問題があった。
【０００８】
そこで、この発明は、省エネモードからの立ち上がり時間を短縮することのできる通信端末装置及び通信端末制御方法を提供することを目的とする。
【００１４】
【課題を解決するための手段】
この発明の第１の通信端末装置は、通信データを記憶する通信情報記憶手段と、省エネモード時には電源供給を低減し、省エネモード解除時には電源供給を増加する省エネ制御手段と、電源オン時には、通信情報記憶手段に記憶されている通信情報の異常の有無を点検して、異常のある通信情報に対して通信情報リカバリー処理を行う一方、省エネモード解除時には、通信情報リカバリー処理を省略するように制御する制御手段とを備える。
【００１５】
この発明の第２の通信端末装置は、相手先情報を記憶する相手先情報記憶手段と、省エネモード時には電源供給を低減し、省エネモード解除時には電源供給を増加する省エネ制御手段と、電源オン時には、相手先情報記憶手段に記憶されている相手先情報の異常の有無を点検して、異常のある相手先情報に対して相手先情報リカバリー処理を行う一方、省エネモード解除時には、相手先情報リカバリー処理を省略するように制御する制御手段とを備える。
【００１６】
この発明の第３の通信端末装置は、ジョブ情報を記憶するジョブ情報記憶手段と、省エネモード時には電源供給を低減し、省エネモード解除時には電源供給を増加する省エネ制御手段と、電源オン時には、ジョブ情報記憶手段に記憶されているジョブ情報の異常の有無を点検して、異常のあるジョブ情報に対してジョブリカバリー処理を行う一方、省エネモード解除時には、ジョブリカバリー処理を省略するように制御する制御手段とを備える。
【００１７】
この発明の第１の通信端末制御方法は、省エネモード時には電源供給を低減し、省エネモード解除時には電源供給を増加し、電源オン時には、通信情報記憶手段に記憶されている通信情報の異常の有無を点検して、異常のある通信情報に対して通信情報リカバリー処理を行う一方、省エネモード解除時には、通信情報リカバリー処理を省略するように制御する。
【００１８】
この発明の第２の通信端末制御方法は、省エネモード時には電源供給を低減し、省エネモード解除時には電源供給を増加し、電源オン時には、相手先情報記憶手段に記憶されている相手先情報の異常の有無を点検して、異常のある相手先情報に対して相手先情報リカバリー処理を行う一方、省エネモード解除時には、相手先情報リカバリー処理を省略するように制御する。
【００１９】
この発明の第３の通信端末制御方法は、省エネモード時には電源供給を低減し、省エネモード解除時には電源供給を増加し、電源オン時には、ジョブ情報記憶手段に記憶されているジョブ情報の異常の有無を点検して、異常のあるジョブ情報に対してジョブリカバリー処理を行う一方、省エネモード解除時には、ジョブリカバリー処理を省略するように制御する。
【００２６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２７】
図１〜図５は、本発明の通信端末装置及び通信端末制御方法の第１の実施の形態を示す図であり、図１は、本発明の通信端末装置及び通信端末制御方法の第１の実施の形態を適用したファクシミリ装置１の要部回路ブロック図である。
【００２８】
本実施の形態は、省エネモード解除時に画情報である通信情報のリカバリー処理を省略するもので、請求項１及び請求項４に対応するものである。
【００２９】
図１において、通信端末装置としてのファクシミリ装置１は、ＣＰＵ（Ｃｅｎｔｒａｌ  Ｐｒｏｃｅｓｓｉｎｇ  Ｕｎｉｔ  ）２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、ＤＣＲ（符号化・復号化部）５、オペポート６、ＳＡＦ（Ｓｔｏｒｅ  Ａｎｄ  Ｆｏｒｗａｒｄ  ）メモリ７、ＮＣＵ（Ｎｅｔｗｏｒｋ  Ｃｏｎｔｒｏｌ  Ｕｎｉｔ）８、モデム９、スキャナ１０、プロッタ１１及び省エネ制御部１２等を備えており、上記各部は、バス１３に接続されている。
【００３０】
ＲＯＭ３には、ファクシミリ装置１としての基本処理プログラム、後述する省エネ制御処理プログラム及び省エネ解除制御処理プログラム等の各種プログラムが格納されているとともに、これらの各プログラムを実行するのに必要なシステムデータやその他のデータが格納されている。
【００３１】
ＲＡＭ４は、ＣＰＵ２のワークメモリとして利用されるとともに、各種データ、特に、各種ジョブ（ＪＯＢ）を実行するために一時的に作成されるジョブ情報、当該ジョブが送信ジョブ等で相手先の電話番号が必要なときにオペポート６から入力されて一時的に作成される相手先電話番号等の相手先情報等を記憶する。したがって、ＲＡＭ４は、相手先情報記憶手段及びジョブ情報記憶手段として機能している。
【００３２】
ＣＰＵ（制御手段）２は、ＲＯＭ３内のプログラムに基づいて、ＲＡＭ４をワークメモリとして利用しながらファクシミリ装置１の各部を制御し、ファクシミリ装置１としての基本処理を実行するとともに、後述する省エネ処理及び省エネ解除制御処理を実行する。
【００３３】
ＤＣＲ５は、画情報のＳＡＦメモリ７への蓄積の効率化及び伝送時間の短縮化を図るためのものであり、所定の符号化方式に従って画情報を符号化し、また、符号化された画情報を復号化する。
【００３４】
オペポート６は、テンキー、スタートキー、ワンタッチキー及びファンクションキー等の各種操作キーを備えるとともに、ディスプレイ、例えば、液晶ディスプレイ等を備えており、操作キーからは、送信操作等の各種命令が入力される。オペポート６のディスプレイには、操作キーから入力された各種命令内容やファクシミリ装置１からオペレータに通知する各種情報が表示される。
【００３５】
ＳＡＦメモリ（通信情報記憶手段）７は、例えば、大容量のＲＡＭあるいはハードディスク装置等で構成され、主に送信用の画情報や受信した画情報等の通信情報が蓄積されて、所定時期に読み出されて送信処理や記録処理等が行われる。
【００３６】
ＮＣＵ８には、所定の回線Ｌ、例えば、ＰＳＴＮ（Ｐｕｂｌｉｃ  Ｓｗｉｃｈｅｄ  Ｔｅｌｅｐｈｏｎｅ  Ｎｅｔｗｏｒｋ：公衆電話網）等が接続されており、ＮＣＵ８は、回線Ｌからの発呼に対して自動着呼し、また、回線Ｌへの自動発呼処理を行う。また、ＮＣＵ８は、通信制御部を内蔵しており、この通信制御部により、相手ファクシミリ装置との間でファクシミリ制御信号を交換して、ファクシミリ通信手順を実行する。
【００３７】
モデム９は、ＣＰＵ２の制御下で動作して、送信信号の変調及び受信信号の復調を行う。
【００３８】
スキャナ１０は、例えば、ＣＣＤ（Ｃｈａｒｇｅ  Ｃｏｕｐｌｅｄ  Ｄｅｖｉｃｅ  ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ１０の原稿読取位置に送給する。スキャナ１０は、ＡＤＦから搬送されてきた原稿を走査し、原稿の画像を所定の解像度で読み取る。
【００３９】
プロッタ１１は、例えば、サーマル素子を利用したサーマル記録装置あるいは電子写真式記録装置等が使用されており、受信した画情報やスキャナ１０で読み取った画情報を記録紙に記録出力する。
【００４０】
省エネ制御部１２は、４ビット・マイクロコンピュータ（省エネ制御手段）１４と省エネキー１５等を備えている。省エネキー１５は、上記オペポート６に配設されており、省エネキー１５は、省エネモードの設定及び解除に使用される。４ビット・マイクロコンピュータ１４は、省エネキー１５により省エネモードに設定されると、ＣＰＵ２への５Ｖの電源の供給を停止させるとともに、ファクシミリ装置１の各部のうち消費電力の大きい部分であって、電源の供給を停止しても、記憶内容が消失される等の不具合の発生しない部分、例えば、プロッタ１１やスキャナ１０等への電源の供給を停止、あるいは、供給電力を低減させる省エネ処理を行い、また、省エネキー１５により省エネモードの解除が設定されると、ＣＰＵ２への５Ｖの電源の供給を再開するとともに、上記電源の供給を停止あるいは低減していた各部への電源の供給を再開する。
【００４１】
そして、ＣＰＵ２は、省エネモードが解除されると、通常は、ＳＡＦメモリ７に記憶されている画情報の異常の有無をチェックして、異常のある画情報を復旧あるいは削除する通信情報リカバリー処理を行い、また、ＲＡＭ４に記憶されている相手先情報やジョブ情報の異常の有無をチェックして、相手先情報やジョブ情報に異常があると、当該異常の相手先情報やジョブ情報を復旧あるいは削除する相手先情報リカバリー処理やジョブリカバリー処理を行う。
【００４２】
次に、本実施の形態の作用を説明する。本実施の形態のファクシミリ装置１は、省エネモード解除時に、ＳＡＦメモリ７の異常画情報をリカバリーする通信情報リカバリー処理を省略して、省エネモードからの立ち上がり時間を短縮させるところにその特徴がある。
【００４３】
以下、この省エネモード解除制御処理について、図２に基づいて、説明する。ファクシミリ装置１は、オペポート６から各種動作命令が入力操作されると、当該動作命令に必要な画情報のＳＡＦメモリ７への蓄積、相手先情報のＲＡＭ４への記憶及び当該動作命令に対応するジョブ情報のＲＡＭ４への記憶を行う。すなわち、例えば、動作命令が所定の相手先への時刻指定のメモリ送信命令であると、ファクシミリ装置１のオペレータは、送信原稿をスキャナ１０にセットし、メモリ送信を指定して、オペポート６から送信先の電話番号等の相手先情報を入力操作するとともに、送信時刻を入力操作する。ＣＰＵ２は、入力操作が完了すると、当該入力操作された相手先電話番号等の相手先情報をＲＡＭ４に格納するとともに、当該メモリ送信命令に対応するジョブ情報を作成して、上記相手先情報に関連付けた状態でＲＡＭ４に格納する。次に、ＣＰＵ２は、スキャナ１０を駆動させて、セットされている送信原稿を順次読み取らせ、スキャナ１０の読み取った送信原稿の画情報をＤＣＲ５で所定の符号化方式で符号化させた後、ＳＡＦ７に蓄積させるとともに、上記ＲＡＭ４に格納したジョブ情報や相手先情報と関連付ける。
【００４４】
このようにして各種ジョブ情報及び相手先情報がＲＡＭ４に記憶され、また、画情報がＳＡＦメモリ７に蓄積された状態で、省エネキー１５が投入されると、図２に示すように、４ビット・マイクロコンピュータ１４は、上述のように、ＣＰＵ２への５Ｖの電源の供給を停止するとともに、スキャナ１０等の必要な各部への電源の供給の停止あるいは低減を行って、省エネモードに移行する（ステップＳ１０１）。
【００４５】
その後、省エネキー１５が投入されて省エネモードの解除が指示されると、４ビット・マイクロコンピュータ１４は、ＣＰＵ２への５Ｖの電源の供給を再開するとともに、電源の供給の停止あるいは低減を行っていた各部への電源の供給を再開して、省エネモードを解除する（ステップＳ１０２）。
【００４６】
ＣＰＵ２は、５Ｖの電源が供給されると、起動して（ステップＳ１０３）、省エネモード解除による起動であるか、ファクシミリ装置１の電源オンによる起動であるかをチェックする（ステップＳ１０４）。この省エネモード解除による起動であるか否かは、例えば、４ビット・マイクロコンピュータ１４からのその旨の所定の信号がＣＰＵ２に入力されるか否かにより判断する。
【００４７】
ＣＰＵ２は、省エネモード解除による起動ではなく、ファクシミリ装置１の電源オンによる起動であると、ＳＡＦメモリ７の通信情報リカバリー処理及びＲＡＭ４のジョブリカバリー処理と相手先情報リカバリー処理等の各種リカバリー処理を行い（ステップＳ１０５）、通常のファクシミリ装置１を立ち上げるためのイニシャル処理を行って、処理を終了する（ステップＳ１０６）。
【００４８】
ステップＳ１０４で、省エネモード解除による起動のときには、ＣＰＵ２は、上記ＳＡＦメモリ７の通信情報リカバリー処理を行うことなく、すなわち、ＳＡＦメモリ７に記憶されている画情報に異常があるか否かチェックして、異常があると、当該異常のある画情報を復旧あるいは消去する通信情報リカバリー処理を省略し、通常のイニシャル処理を行って、処理を終了する（ステップＳ１０６）。
【００４９】
したがって、通信情報リカバリー処理を行う時間を短縮することができ、省エネモードからの立ち上がり時間を短縮することができる。
【００５０】
図３は、本発明の通信端末装置及び通信端末制御方法の第２の実施の形態を示す図であり、本実施の形態は、省エネモード解除時に送信先電話番号等の相手先情報のリカバリー処理を省略するもので、請求項２及び請求項５に対応するものである。
【００５１】
なお、本実施の形態は、上記第１の実施の形態と同様のファクシミリ装置に適用したものであり、本実施の形態の説明においては、上記第１の実施の形態で用いた符号をそのまま用いて説明する。
【００５２】
図３において、ファクシミリ装置１は、上記第１の実施の形態と同様に、オペポート６から各種動作命令が入力操作されると、当該動作命令に必要な画情報のＳＡＦメモリ７への蓄積、相手先情報のＲＡＭ４への記憶及び当該動作命令に対応するジョブ情報のＲＡＭ４への記憶を行う。
【００５３】
各種ジョブ情報及び相手先情報がＲＡＭ４に記憶され、また、画情報がＳＡＦメモリ７に蓄積された状態で、省エネキー１５が投入されると、図３に示すように、４ビット・マイクロコンピュータ１４は、上述のように、ＣＰＵ２への５Ｖの電源の供給を停止するとともに、スキャナ１０等の必要な各部への電源の供給の停止あるいは低減を行って、省エネモードに移行する（ステップＳ２０１）。
【００５４】
その後、省エネキー１５が投入されて省エネモードの解除が指示されると、４ビット・マイクロコンピュータ１４は、ＣＰＵ２への５Ｖの電源の供給を再開するとともに、電源の供給の停止あるいは低減を行っていた各部への電源の供給を再開して、省エネモードを解除する（ステップＳ２０２）。
【００５５】
ＣＰＵ２は、５Ｖの電源が供給されると、起動して（ステップＳ２０３）、省エネモード解除による起動であるか、ファクシミリ装置１の電源オンによる起動であるかをチェックする（ステップＳ２０４）。
【００５６】
ＣＰＵ２は、省エネモード解除による起動ではなく、ファクシミリ装置１の電源オンによる起動であると、ＳＡＦメモリ７の通信情報リカバリー処理、ＲＡＭ４のジョブリカバリー処理及びＲＡＭ４の電話番号等の相手先情報リカバリー処理等の各種リカバリー処理を行い（ステップＳ２０５）、通常のファクシミリ装置１を立ち上げるためのイニシャル処理を行って、処理を終了する（ステップＳ２０６）。
【００５７】
ステップＳ２０４で、省エネモード解除による起動のときには、ＣＰＵ２は、上記ＲＡＭ４の相手先情報リカバリー処理を行うことなく、すなわち、ＲＡＭ４に記憶されている電話番号等の相手先情報に異常があるか否かチェックして、異常があると、当該異常のある相手先情報を復旧あるいは消去する相手先情報リカバリー処理を省略して、通常のイニシャル処理を行って、処理を終了する（ステップＳ２０６）。
【００５８】
したがって、省エネモードからの立ち上がり時に、相手先情報リカバリー処理を行う時間を短縮することができ、省エネモードからの立ち上がり時間を短縮することができる。
【００５９】
図４は、本発明の通信端末装置及び通信端末制御方法の第３の実施の形態を示す図であり、本実施の形態は、省エネモード解除時にジョブ情報のリカバリー処理を省略するもので、請求項３及び請求項６に対応するものである。
【００６０】
なお、本実施の形態は、上記第１の実施の形態と同様のファクシミリ装置に適用したものであり、本実施の形態の説明においては、上記第１の実施の形態で用いた符号をそのまま用いて説明する。
【００６１】
図４において、ファクシミリ装置１は、上記第１の実施の形態と同様に、オペポート６から各種動作命令が入力操作されると、当該動作命令に必要な画情報のＳＡＦメモリ７への蓄積、相手先情報のＲＡＭ４への記憶及び当該動作命令に対応するジョブ情報のＲＡＭ４への記憶を行う。
【００６２】
各種ジョブ情報及び相手先情報がＲＡＭ４に記憶され、また、画情報がＳＡＦメモリ７に蓄積された状態で、省エネキー１５が投入されると、図４に示すように、４ビット・マイクロコンピュータ１４は、上述のように、ＣＰＵ２への５Ｖの電源の供給を停止するとともに、スキャナ１０等の必要な各部への電源の供給の停止あるいは低減を行って、省エネモードに移行する（ステップＳ３０１）。
【００６３】
その後、省エネキー１５が投入されて省エネモードの解除が指示されると、４ビット・マイクロコンピュータ１４は、ＣＰＵ２への５Ｖの電源の供給を再開するとともに、電源の供給の停止あるいは低減を行っていた各部への電源の供給を再開して、省エネモードを解除する（ステップＳ３０２）。
【００６４】
ＣＰＵ２は、５Ｖの電源が供給されると、起動して（ステップＳ３０３）、省エネモード解除による起動であるか、ファクシミリ装置１の電源オンによる起動であるかをチェックする（ステップＳ３０４）。
【００６５】
ＣＰＵ２は、省エネモード解除による起動ではなく、ファクシミリ装置１の電源オンによる起動であると、ＳＡＦメモリ７の通信情報リカバリー処理、ＲＡＭ４のジョブリカバリー処理及びＲＡＭ４の電話番号等の相手先情報リカバリー処理等の各種リカバリー処理を行い（ステップＳ３０５）、通常のファクシミリ装置１を立ち上げるためのイニシャル処理を行って、処理を終了する（ステップＳ３０６）。
【００６６】
ステップＳ３０４で、省エネモード解除による起動のときには、ＣＰＵ２は、上記ＲＡＭ４のジョブリカバリー処理を行うことなく、すなわち、ＲＡＭ４のジョブ情報に異常があるか否かチェックして、異常があると、当該異常のあるジョブ情報を復旧あるいは消去するジョブリカバリー処理を省略して、通常のイニシャル処理を行って、処理を終了する（ステップＳ３０６）。
【００６７】
したがって、省エネモードからの立ち上がり時に、ジョブリカバリー処理を行う時間を短縮することができ、省エネモードからの立ち上がり時間を短縮することができる。
【００６８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６９】
例えば、上記各実施の形態においては、通信端末装置としてファクシミリ装置に適用した場合について説明したが、通信端末装置としては、ファクシミリ装置に限るものでないことはいうまでもない。
【００７０】
【発明の効果】
請求項１記載の発明の通信端末装置によれば、省エネモード解除時、通信情報記憶手段に記憶されている通信情報の異常の有無を点検して、異常のある通信情報の復旧あるいは消去を行う通信情報リカバリー処理を省略するので、省エネモードからの立ち上がり時に、通信情報リカバリー処理を行う時間を短縮することができ、省エネモードからの立ち上がり時間を短縮することができる。
【００７１】
請求項２記載の発明の通信端末装置によれば、省エネモード解除時、相手先情報記憶手段に記憶されている相手先情報の異常の有無を点検して、異常のある相手先情報の復旧あるいは消去を行う相手先情報リカバリー処理を省略するので、省エネモードからの立ち上がり時に、相手先情報リカバリー処理を行う時間を短縮することができ、省エネモードからの立ち上がり時間を短縮することができる。
【００７２】
請求項３記載の発明の通信端末装置によれば、省エネモード解除時、ジョブ情報記憶手段に記憶されているジョブ情報の異常の有無を点検して、異常のあるジョブ情報の復旧あるいは消去を行うジョブリカバリー処理を省略するので、省エネモードからの立ち上がり時に、ジョブリカバリー処理を行う時間を短縮することができ、省エネモードからの立ち上がり時間を短縮することができる。
【００７３】
請求項４記載の発明の通信端末制御方法によれば、省エネモード解除時、通信情報記憶手段に記憶されている通信情報の異常の有無を点検して、異常のある通信情報の復旧あるいは消去を行う通信情報リカバリー処理を省略するので、省エネモードからの立ち上がり時に、通信情報リカバリー処理を行う時間を短縮することができ、省エネモードからの立ち上がり時間を短縮することができる。
【００７４】
請求項５記載の発明の通信端末制御方法によれば、省エネモード解除時、相手先情報記憶手段に記憶されている相手先情報の異常の有無を点検して、異常のある相手先情報の復旧あるいは消去を行う相手先情報リカバリー処理を省略するので、省エネモードからの立ち上がり時に、相手先情報リカバリー処理を行う時間を短縮することができ、省エネモードからの立ち上がり時間を短縮することができる。
【００７５】
請求項６記載の発明の通信端末制御方法によれば、省エネモード解除時、ジョブ情報記憶手段に記憶されているジョブ情報の異常の有無を点検して、異常のあるジョブ情報の復旧あるいは消去を行うジョブリカバリー処理を省略するので、省エネモードからの立ち上がり時に、ジョブリカバリー処理を行う時間を短縮することができ、省エネモードからの立ち上がり時間を短縮することができる。
【図面の簡単な説明】
【図１】本発明の通信端末装置及び通信端末制御方法の第１の実施の形態を適用したファクシミリ装置の要部回路ブロック図。
【図２】図１のファクシミリ装置による省エネモード解除制御処理を示すフローチャート。
【図３】本発明の通信端末装置及び通信端末制御方法の第２の実施の形態のファクシミリ装置による省エネモード解除制御処理を示すフローチャート。
【図４】本発明の通信端末装置及び通信端末制御方法の第３の実施の形態のファクシミリ装置による省エネモード解除制御処理を示すフローチャート。
【符号の説明】
１  ファクシミリ装置
２  ＣＰＵ
３  ＲＯＭ
４  ＲＡＭ
５  ＤＣＲ
６  オペポート
７  ＳＡＦメモリ
８  ＮＣＵ
９  モデム
１０  スキャナ
１１  プロッタ
１２  省エネ制御部
１３  バス
１４  ４ビット・マイクロコンピュータ
１５  省エネキー
【図１】
0003576839.tif 000002
【図２】
0003576839.tif 000003
【図３】
0003576839.tif 000004
【図４】
0003576839.tif 000005